(57)【要約】【課題】    近接場光を用いる光学レンズ装置、ニアフィールド集光レンズ装置、光学ピックアップ装置、および光記録再生装置にあって、光記録媒体とソリッドイマージョンレンズの衝突などによる光記録媒体や、光学レンズにおける衝突傷や、擦傷の発生の問題、ひいては、光学レンズ装置、ニアフィールド集光レンズ装置、光学ピックアップ装置、および光記録再生装置における使用不能などの解決を図る。【解決手段】  ソリッドイマージョンレンズによる第１の光学レンズ５１が、レンズ保持体に保持されて成る光学レンズ装置にあって、レンズ保持体６２の少なくとも一部が、圧力吸収体６０より成り、該圧力吸収体６０によってソリッドイマージョンレンズの第１の光学レンズ５１と、その対物との間に生じる圧力を吸収する構成とする。【選択図】        図２
2006228289.tif 000002
【特許請求の範囲】
【請求項１】
ソリッドイマージョンレンズが、レンズ保持体に保持されて成る光学レンズ装置であって、
上記レンズ保持体の少なくとも一部が、圧力吸収体より成り、該圧力吸収体によって上記ソリッドイマージョンレンズと該ソリッドイマージョンレンズに対する対物との間に生じる圧力を吸収する構成としたことを特徴とする光学レンズ装置。
【請求項２】
上記圧力吸収体が、圧力変形体よりなることを特徴とする請求項１に記載の光学レンズ装置。
【請求項３】
上記圧力吸収体が、空孔体よりなることを特徴とする請求項１に記載の光学レンズ装置。
【請求項４】
同一光軸上に、対物側からソリッドイマージョンレンズによる第１の光学レンズと、第２の光学レンズとが配置されて成るニアフィールド集光レンズ装置であって、
少なくとも上記第１の光学レンズのソリッドイマージョンレンズが、レンズ保持体に保持され、
該レンズ保持体の少なくとも一部が、圧力吸収体より成り、該圧力吸収体によって上記ソリッドイマージョンレンズと該ソリッドイマージョンレンズに対する対物との間に生じる圧力を吸収する構成としたことを特徴とするニアフィールド集光レンズ装置。
【請求項５】
上記圧力吸収体が、圧力変形体よりなることを特徴とする請求項４に記載のニアフィールド集光レンズ装置。
【請求項６】
上記圧力吸収体が、空孔体よりなることを特徴とする請求項４に記載のニアフィールド集光レンズ装置。
【請求項７】
少なくとも、光源部と、該光源部からの出射光を集光するニアフィールド集光レンズ装置とを有し、
該ニアフィールド集光レンズ装置は、同一光軸上に、対物側からソリッドイマージョンレンズによる第１の光学レンズと、第２の光学レンズとが配置されて成るニアフィールド集光レンズであって、
上記第１の光学レンズのソリッドイマージョンレンズが、レンズ保持体に保持され、
該レンズ保持体の少なくとも一部が、圧力吸収体より成り、該圧力吸収体によって上記ソリッドイマージョンレンズと該ソリッドイマージョンレンズに対する対物との間に生じる圧力を吸収する構成としたことを特徴とする光学ピックアップ装置。
【請求項８】
上記圧力吸収体が、圧力変形体よりなることを特徴とする請求項７に記載の光学ピックアップ装置。
【請求項９】
上記圧力吸収体が、空孔体よりなることを特徴とする請求項７に記載の光学ピックアップ装置。
【請求項１０】
少なくとも光記録媒体の配置部と、光学ピックアップ装置とを有し、上記光記録媒体に対する光記録または／および再生がなされる光記録再生装置であって、
上記光学ピックアップ装置は、少なくとも、光源部と、該光源部からの出射光を集光するニアフィールド集光レンズ装置とを有し、
該ニアフィールド集光レンズ装置は、同一光軸上に、対物側からソリッドイマージョンレンズによる第１の光学レンズと、第２の光学レンズとが配置されて成るニアフィールド集光レンズであって、
上記第１の光学レンズのソリッドイマージョンレンズが、レンズ保持体に保持され、
該レンズ保持体の少なくとも一部が、圧力吸収体より成り、該圧力吸収体によって上記ソリッドイマージョンレンズと該ソリッドイマージョンレンズに対する対物との間に生じる圧力を吸収する構成としたことを特徴とする光記録再生装置。
【請求項１１】
上記圧力吸収体が、圧力変形体よりなることを特徴とする請求項１０に記載の光記録再生装置。
【請求項１２】
上記圧力吸収体が、空孔体よりなることを特徴とする請求項１０に記載の光記録再生装置。
【発明の詳細な説明】
【技術分野】
【０００１】
本発明は、光記録媒体に対するニアフィールド光記録または／および再生に適用して好適な光学レンズ装置、ニアフィールド集光レンズ装置、光学ピックアップ装置、および光記録再生装置に関する。
【背景技術】
【０００２】
コンパクトディスク（ＣＤ）、ミニディスク（ＭＤ）、デジタルビデオディスク（ＤＶＤ）で代表される光（もしくは光磁気）記録または／および再生がなされる光記録媒体は、音楽情報、映像情報、データ、プログラム等の格納媒体として広く利用されている。
しかしながら、音楽情報、映像情報、データ、プログラム等の、更なる高音質化、高画質化、長時間化、大容量化により、更に、大容量の記録、したがって、高密度記録化の要求から記録または／および再生光の短波長化、集光レンズの開口数の増大化が図られ、集光光スポットの小径化が図られている。
【０００３】
例えば、半導体レーザ光に関しては、発振波長が従来の赤色レーザの６３５ｎｍから４００ｎｍ帯に短波長化されたＧａＮ半導体レーザが実用化され、更に、２６６ｎｍの単一波長の光を連続発振する遠紫外固体レーザを用いることによって、スポットの小径化が図られようとしている。
また、光源として、Ｎｄ：ＹＡＧレーザの２倍波レーザ（２６６ｎｍ帯）、ダイヤモンドレーザ（２３５ｎｍ帯）、ＧａＮレーザの２倍波レーザ（２０２ｎｍ帯）などの研究、開発が進められている。
【０００４】
一方、例えば、ソリッドイマ―ジョンレンズに代表される開口数の大なる光学レンズを用いることによって、例えば開口数１以上のニアフィールド集光レンズ装置を実現し、ソリッドイマージョンレンズの対物面を、光記録媒体に対して光源波長の１０分の１程度までに近接させることによりニアフィールド光(近接場光)による記録または／および再生を行う光記録再生方法の研究、開発がなされている。
【０００５】
このニアフィールド光記録再生は、例えば、図７に概略構成図を示すように、光記録媒体１００に近接対向して、ソリッドイマージョンレンズによる第１の光学レンズ１０１と集光レンズによる第２の光学レンズ１０２とが同一光軸Ｏ上に配置されたニアフィールド集光レンズ装置１０３が用いられる。
ソリッドイマージョンレンズによる第１の光学レンズ１０１は、その光入射側、すなわち第２の光学レンズ側において、凸球面とされ、対物面がレンズの光軸を中心とする凸形状とされる。照射光例えばレーザ光１０４は、第２の光学レンズ１０２によって集光されて第１の光学レンズ１０１に導入され、その光記録媒体１００と対向する対物面に集光させ、微小スポットの近接場光を生じさせるようになされる。
【０００６】
第１の光学レンズ１０１のソリッドイマージョンレンズは、例えば超半球形状あるいは半球形状とすることができ、超半球構成とした場合は、その曲率半径をｒ、光学レンズの屈折率をｎ、光学レンズ１０１の光軸方向の厚さをｔとすると、ｔ＝ｒ（１＋１／ｎ）の関係がある。
また、例えば、第１の光学レンズ１０１を半球形状で形成した場合は、光学レンズの曲率半径をｒ、光学レンズの厚さをｔとすると、ｔ＝ｒの関係がある。
【０００７】
このニアフィールド集光レンズ装置１０３は、図示しないが、例えば２軸アクチュエータによって光記録媒体１００との距離を光学的なコンタクト状態に維持する。
【０００８】
このニアフィールド光記録再生方法にあって、光記録媒体に対するフォーカシング方向、または／およびトラッキング方向に制御駆動される集光レンズの安定制御を図ることができるとともに、ナノメートルオーダの距離で光記録媒体と安定した記録再生が行えるように、光記録媒体とそのニアフィールド集光レンズ装置１０３の第１の光学レンズ１０１、すなわちソリッドイマージョンレンズの傾きマージンを大きくすることが望まれる。
【０００９】
そのため、第１の光学レンズ１０１のソリッドイマージョンレンズでは、その対物面をレンズの光軸を中心とする凸形状、例えば円錐形状とし、その先端部に微小スポットのエバネッセント光の近接場光集光が生じるようになされ、光記録媒体との距離を数十ｎｍにした場合でも、傾きマージンが、±０．１度程度確保できるようにされる。
また、このように光学レンズ１０１の対物面を円錐形状等にしたことにより、光学レンズと光記録媒体との間に入り込んでくる塵埃等の汚染ないしは汚損物質を、凸形状例えば円錐形状面に沿って周囲に流れていくようにして、光学レンズ１０１の集光部となる対物面に塵埃が巻き込まれて、光学レンズの集光部や、光記録媒体の汚染ないしは汚損を回避する効果を生じさせることができる。
【００１０】
ところが、上述したように、近接場光が用いられる場合、ソリッドイマージョンレンズと光記録媒体とのギャップが狭小であることから、外震等、何らかの原因で、ソリッドイマージョンレンズの先端が光記録媒体面と衝突することによって、例えば図８に示すように、光記録媒体1、例えば光ディスクにおいて、衝突傷１０５を発生させたり、あるいは光記録媒体１の回転によって図９に示すように、リング状の擦傷１０６を発生するなどの問題があり、特に上述した先端が突出する凸形状とする場合、この衝突傷１０５や、リング状の擦傷１０６が顕著に生じ、光記録媒体１００、更には第１の光学レンズ１０１のソリッドイマージョンレンズの利用を不可能にするなどの問題がある。
【００１１】
従来、光ディスクの傾きによって、ソリッドイマージョンレンズによる損傷による光ディスク短命化を改善する方法の提案はなされている（特許文献１参照）。
この提案による光学式ピックアップは、対物レンズとイマージョンレンズとを連結するサスペンションバネを設けることによって、光ディスクの傾きに応じてイマージョンレンズが傾斜するようにしたものである。しかしながら、この場合、サスペンションバネの反発による押圧力によって、上述した擦傷が発生するという問題がある。
【特許文献１】特開２００１−１０１６９０号公報
【発明の開示】
【発明が解決しようとする課題】
【００１２】
本発明は、上述した近接場光を用いる光学レンズ装置、ニアフィールド集光レンズ装置、光学ピックアップ装置、および光記録再生装置にあって、光記録媒体における上述した衝突傷や、擦傷の発生を効果的に回避することができるようにし、光記録媒体が使用不能になったり、ソリッドイマージョンレンズ側においての損傷、したがって、これに基いたニアフィールド集光レンズ装置、光学ピックアップ装置、および光記録再生装置において生じる損傷、故障等の問題の解決を図るものである。
【課題を解決するための手段】
【００１３】
本発明による光学レンズ装置は、ソリッドイマージョンレンズが、レンズ保持体に保持されて成る光学レンズ装置であって、上記レンズ保持体の少なくとも一部が、圧力吸収体より成り、該圧力吸収体によって上記ソリッドイマージョンレンズと該ソリッドイマージョンレンズに対する対物との間に生じる圧力を吸収する構成としたことを特徴とする。
【００１４】
本発明によるニアフィールド集光レンズ装置は同一光軸上に、対物側からソリッドイマージョンレンズによる第１の光学レンズと、第２の光学レンズとが配置されて成るニアフィールド集光レンズ装置であって、少なくとも上記第１の光学レンズのソリッドイマージョンレンズが、レンズ保持体に保持され、該レンズ保持体の少なくとも一部が、圧力吸収体より成り、該圧力吸収体によって上記ソリッドイマージョンレンズと該ソリッドイマージョンレンズに対する対物との間に生じる圧力を吸収する構成としたことを特徴とする。
【００１５】
本発明による光学ピックアップ装置は、少なくとも、光源部と、該光源部からの出射光を集光するニアフィールド集光レンズ装置とを有し、該ニアフィールド集光レンズ装置は、同一光軸上に、対物側からソリッドイマージョンレンズによる第１の光学レンズと、第２の光学レンズとが配置されて成るニアフィールド集光レンズであって、上記第１の光学レンズのソリッドイマージョンレンズが、レンズ保持体に保持され、該レンズ保持体の少なくとも一部が、圧力吸収体より成り、該圧力吸収体によって上記ソリッドイマージョンレンズと該ソリッドイマージョンレンズに対する対物との間に生じる圧力を吸収する構成としたことを特徴とする。
【００１６】
本発明による光記録再生装置は、少なくとも光記録媒体の配置部と、光学ピックアップ装置とを有し、上記光記録媒体に対する光記録または／および再生がなされる光記録再生装置であって、上記光学ピックアップ装置は、少なくとも、光源部と、該光源部からの出射光を集光するニアフィールド集光レンズ装置とを有し、該ニアフィールド集光レンズ装置は、同一光軸上に、対物側からソリッドイマージョンレンズによる第１の光学レンズと、第２の光学レンズとが配置されて成るニアフィールド集光レンズであって、上記第１の光学レンズのソリッドイマージョンレンズが、レンズ保持体に保持され、該レンズ保持体の少なくとも一部が、圧力吸収体より成り、該圧力吸収体によって上記ソリッドイマージョンレンズと該ソリッドイマージョンレンズに対する対物との間に生じる圧力を吸収する構成としたことを特徴とする。
【００１７】
本発明は、上述した各本発明装置において、上記圧力吸収体が、圧力変形体よりなることを特徴とする。
また、本発明は、上述した各本発明装置において、上記圧力吸収体が、空孔体よりなることを特徴とする。
【発明の効果】
【００１８】
上述したように、本発明による光学レンズ装置においては、ソリッドイマージョンレンズの保持体の少なくとも一部を、圧力吸収体によって構成したことによって、何らかの原因で、ソリッドイマージョンレンズが光記録媒体に、直接的あるいは間接的に衝突や接触したとき、ソリッドイマージョンレンズに加わった圧力が、圧力吸収体によって吸収されることから、光記録媒体側において衝撃等が与えられることがなく、前述した衝突傷や、擦傷傷が発生することが回避されものである。
一方、ソリッドイマージョンレンズ側においても、圧力吸収体によって、上述した衝突や、接触による圧力が実質的に加わることが回避されることによってレンズや付随する部材等の損傷が回避され、長寿命化を図ることができるものである。
【００１９】
そして、圧力吸収体が、圧力変形体による構成とするときは、その変形によって上述した圧力吸収が効果的になされると共に、この変形によって、ソリッドイマージョンレンズを、正規の対物位置から後退離間させることができることによって、より確実に、上述した光記録媒体側およびソリッドイマージョンレンズ側の損傷等を回避できるものである。
【００２０】
また、圧力吸収体が、空孔体によるときは、空孔の密度、大きさ等の選定によって必要充分な圧力吸収がなされる圧力吸収体を構成することができることから、上述した光記録媒体側およびソリッドイマージョンレンズ側の損傷等の回避を適切に行うことができるものである。
【００２１】
そして、本発明による光学レンズ装置、ニアフィールド集光レンズ装置、光学ピックアップ装置、および光記録再生装置においては、上述した本発明による光学装置が適用された構成によることから、これら装置の光学レンズ装置への衝撃による事故を回避でき、信頼性が高く、また、長寿命化が図られる。
【発明を実施するための最良の形態】
【００２２】
本発明による光学レンズ装置、ニアフィールド集光レンズ装置、光学ピックアップ装置、および光記録再生装置の実施の形態例を、図面を参照して説明する。
先ず、図１の概略構成図を参照して、光記録媒体１例えば光ディスクに対する光記録または／および再生を行う本発明による光記録再生装置の実施の形態例を説明する。
この光記録再生装置は、少なくとも光記録媒体１例えば光ディスクが配置され、これを回転駆動する光記録媒体の配置部３０と、光学ピックアップ装置４０とを有して成る。
光学ピックアップ装置４０は、少なくとも、光源部１０と、この光源部１０からの出射光例えばレーザ光を集光し、微小スポットのニアフィールド(近接場)光を得るニアフィールド集光レンズ装置５０とを有し、更に、例えばコリメートレンズ１１と、無偏光ビームスプリッタ１２と、偏光ビームスプリッタ１３と、１／４波長板１４と、ビームエキスパンダー１５と、ミラー１６と、集光レンズ１８と、受光手段１９と、集光レンズ２０と、受光手段２１とを有して成る。
【００２３】
ニアフィールド集光レンズ装置５０は、図２に示すように、レンズ保持体６２に、ソリッドイマージョンレンズ（ＳＩＬ）を構成する第１の光学レンズ５１が保持された光学レンズ装置６１を有する。そして、このレンズ保持体６２に、第１の光学レンズ５１を対物側、すなわち光記録媒体１側に配置して、同一光軸Ｏ上に集光レンズによる第２の光学レンズ５２が保持されてニアフィールド集光レンズ装置５０が構成される。
【００２４】
レンズ保持体６２は、例えば第１および第２の光学レンズ５１および５２の、本来の光軸０を中心として、これら光学レンズ５１および５２を例えば取り囲むカップ状あるいは柵状等の形状に配置され、第１および第２の光学レンズ５１および５２の全外周もしくは一部の外周において、機械的にレンズ保持体６１の内側に固定される。
そして、本発明構成においては、このレンズ保持体６０の一部を圧力吸収体６０によって構成する。
この圧力吸収体６０は、少なくとも上述した本来の光軸０の方向に関する圧力を吸収する機能を有する構成および配置とする。
【００２５】
第１の光学レンズ５１は、その微小スポットの近接場光を得るための光を入射させる光入射面５１ａが凸球面とされ、対物側の対物面５１ｂが凸形状とされ、その先端の中心部に微小スポットの近接場光を得る光の集光部が形成されるようにする。
【００２６】
このニアフィールド集光レンズ装置５０の第１の光学レンズ５１と対物との間のギャップ、すなわち光記録媒体１とのギャップは、光源波長の１０分の１程度に選定される。
そして、この光学レンズ構体５０は、例えば２軸アクチュエータ５３に搭載され、そのトラッキング用コイル５３Ａとギャップ制御用コイル５３Ｂとによって、光記録媒体１に対するトラッキング制御とギャップ制御とがなされる。
【００２７】
図１の構成において、光源部１０から出射されたレーザ光は、コリメートレンズ１１により平行光とされて無偏光ビームスプリッタ１２、偏光ビームスプリッタ１３を通過して１／４波長板１４を介してビームエキスパンダー１５によってビーム幅が調整されて、例えばミラー１６により集光光学レンズ構体５０に導入され、光記録媒体１にニアフィールド（近接場）光として照射される。
【００２８】
光記録媒体１の記録面から反射された光は、ニアフィールド集光レンズ装置５０を介してミラー１６により反射され、ビームエキスパンダー１５、１／４波長板１４を介して偏光ビームスプリッタ１３により一部反射されて集光レンズ１８により受光手段１９に集光される。また、偏光ビームスプリッタ１３を通過した一部の光は、無偏光ビームスプリッタ１２により反射されて、集光レンズ２０により受光手段２１に検出される。
このように、受光手段１９により例えばトラッキング信号および記録情報再生信号（いわゆるＲＦ再生信号）が得られるようになされ、他の受光手段２１により第１の光学レンズ５１の対物面５１ｂに集光がなされる凸形状先端部と、光記録媒体１との間のギャップを検出するギャップ検出用信号が得られるようになされる。
【００２９】
このギャップ検出は、偏光の変化を利用することによって検出することができるものである。すなわち、光記録媒体１と光学レンズのＳＩＬ５１とのギャップが広く、ＳＩＬ５１の対物面で光がほぼ全反射する場合には、ＳＩＬ表面で偏光が変化するので、戻り光路でＰＢＳ１３から一部の光が漏れてくる。一方、光記録媒体１とＳＩＬ５１とが近く、近接場光が漏れて通常の反射に近い場合には偏光の変化は小さいので、ＰＢＳ１３を漏れてくる光量は小さくなる。この差すなわち、全反射戻り光量の変化を利用してギャップ検出を行うことができる。
このギャップの検出方法としては、その他例えば静電容量の変化を検出する方法など、種々の方法を採ることができる。
【００３０】
このようにして得たトラッキング信号、ギャップ検出信号を、２軸アクチュエータ１７にフィードバックすることにより、ニアフィールド集光レンズ装置５０のトラッキングおよびギャップサーボを行うと同時に、第１の光学レンズＳＩＬ５１の対物面５１ｂの集光部となる凸形状部の先端と光記録媒体１とのギャップを所定ギャップに設定し、両者の衝突を避けることができる。
【００３１】
また、必要に応じてこの光学ピックアップ装置には、例えば２枚のレンズの間隔を変えことができるリレーレンズを、両ビームスプリッタ１２および１３間に挿入した構成として例えば光記録媒体の面振れに対して、２軸アクチュエータが追従した残りのフォーカスエラー成分および集光レンズの組み立て工程時に発生した誤差成分を補正することができる。
【００３２】
ソリッドイマージョンレンズの第１の光学レンズ５１は、その基本的構造が、半球、超半球レンズとすることができる。図３〜図５は、超半球構造とした場合のソリッドイマージョンレンズの第１の光学レンズ５１を例示したもので、各ＡおよびＢは、それぞれ光学レンズ５１の側面図および底面図である。
光学レンズ５１は、その集光すべき光の入射面５１ａが凸球面とされ、集光側の対物面５１ｂが、光学レンズ５１の光軸Ｏを中心として突出する凸形状とされる。
【００３３】
ソリッドイマージョンレンズの光学レンズ５１の対物面５１ｂにおける凸形状は、例えば図３に示すように、先端部が光軸Ｏと直交する平坦面５１ｂoを有する切頭円錐形状とする。
この光学レンズ５１は、例えばオハラ社製Ｓ−ＬＡＨ７９の高屈折率ガラス材料によって作製した。このソリッドイマージョンレンズの半径は０．４５ｍｍ、その厚さは０．６６７ｍｍとし、その対物面１ｂの凸形状は７０度の切頭円錐形状とし、その切頭平面部５１ｂｏの半径は４０μｍとする。
【００３４】
あるいは図４に示すように、切頭形状によらない円錐状、角錐状とするとか、図５に示すように、球面形状とすることができる。
なお、その凸形状の角度は、レーザ光の入射角より大に設定されるものであり、例えば屈折率が、２〜３程度のレンズ材料を用いた場合は、６０度〜８０度である。
【００３５】
図３〜図５に図示の例では、その光軸Ｏ方向の厚さが前述したように、ｒ｛１＋（１／ｎ）｝とされた超半球レンズによって構成した場合であり、この場合、例えば図４に示すように、凸形状の先端部が、光学レンズ５１の半球面と光軸０との交点Ｐを中心とする半径ｒ／ｎの円ｆに外接する形状とするときは、入射光の光軸が、光学レンズ５１の光軸Ｏから、わずか程度傾いて交点Ｐに入射する場合においても、点Ｐと凸形状の先端までの距離をｒ／ｎとすることができる。
【００３６】
ＳＩＬとしての光学レンズの材料としては、上述した光学ピックアップ装置、光記録再生装置の装備するレーザ光源の波長に対して、屈折率が大きく、透過率が大きく、光吸収が小さい材料によること望ましい。このような材料としては、例えば、高屈折率ガラスであるオハラ株式会社製のＳ−ＬＡＨ７９や、高屈折率セラミックス、高屈折率単結晶材料であるＢｉ４Ｇｅ３Ｏ１２，ＳｒＴｉＯ３，ＫＴａＯ３、ＺｒＯ２，ＨｆＯ２，ＳｉＣ，ダイヤモンド、ＧａＰなどが好適である。
【００３７】
また、これら光学レンズ材料は、アモルファス構造、もしくは単結晶の場合には立方晶構造であることが望ましい。光学レンズ材料がアモルファス構造、もしくは立方晶構造である場合、結晶方位によりエッチング速度やエッチング特性が変化しないことから通常の半導体製造技術などで用いられているエッチング方法や装置を利用することができる。
【００３８】
また、図３で示した光学レンズ５１におけるように、凸形状において、円錐形状の先端部分の平坦部の加工については、公知である半導体加工に利用されているエッチング方法や装置を利用することができるものであり、特に、微細な先端部の加工については、例えば日立製作所製の集束イオンビーム加工観察装置ＦＢ−２１００などのフォーカスイオンビーム加工方法、および加工装置を利用するのが好適である。
【００３９】
また、光磁気記録媒体に対するニアフィールド光記録再生方式においては、記録時または／および再生時に磁界が必要になることから、第１の光学レンズ（ソリッドイマージョンレンズ）５１の対物面５１ｂの一部に磁気コイル等を取り付けた構成とすることができる。
【００４０】
上述したレンズ保持体６２の圧力吸収体６０は、上述したように、少なくとも本来の光軸０の方向に関する圧力を吸収する機能を有する構成および配置とする。
このようにして、レンズ保持体６２によって第１および第２の光学レンズ５１および５２を所定の位置および位置関係に保持することができるようにすると同時に、ソリッドイマージョンレンズの光学レンズ５１に、例えば光記録媒体１との衝突などの衝撃が加えられようとする状態になったとき、この衝撃による圧力が圧力吸収体６０によって吸収されるようになされ、ソリッドイマージョンレンズと、その対物の光記録媒体１とに、実質的に傷や損傷をきたすことがない程度に吸収することができるようにする。
【００４１】
この圧力吸収体６０は、例えば図２および図６に示すように、レンズ保持体６２を、第１の光学レンズ５１を保持する保持部分６２１と、第２の光学レンズ５２を保持する保持部分６２２とに、例えば軸０と交叉する面内で分割し、これら保持部分６２１および６２２間に、例えば軸０を中心とするリング状、あるいは軸０を中心とする等角間隔に複数個分断して配置することによって、軸０に関して回転対称的に配置する。
そして、この場合、第２の保持部分６２２を、例えば２軸アクチュエータ１７への固定部とする。
このようにして、圧力吸収体６０の圧力吸収効果が、安定して本来の光軸０に沿って生じるようになされる。
【００４２】
この圧力吸収体６０は、所要の圧力で変形し、かつ変形状態を長時間保持できる例えばゲル状の樹脂、あるいは圧力変形ゴム等による圧力変形体によって構成することができる。
このように圧力吸収体６０が圧力変形体によって構成するときは、図６Ａにソリッドイマージョンレンズの第１の光学レンズ５１と光記録媒体１とが狭小な所要の間隔にある状態で、例えば光記録媒体１と光学レンズ５１とが何らかの状況、例えば外震で、本来は、衝突が発生する状態となったとき、圧力吸収体６０を構成する圧力変形体の変形によって、圧力の吸収がなされると共に、第１の光学レンズ５１が、図６Ｂに示すように、図６Ａの正規の対物位置から後退離間させることができるものであり、このときの位置検出、例えばギャップ検出により、例えば光記録媒体１の移行を停止させる動作を行う。
このようにすることにより、衝撃の回避と、より確実に、上述した光記録媒体側およびソリッドイマージョンレンズ側の損傷等を回避でき、ひいては、ニアフィールド集光レンズ装置、光学ピックアップ装置、および光記録再生装置の故障等を回避できるものである。
【００４３】
また、圧力吸収体６０を、空孔が形成された樹脂等によって構成することができる。この場合は、その空孔の密度、大きさ等の選定によって必要な圧力吸収がなされる圧力吸収体を構成することができ、またその強度の選定によって変形体とすることができる。
【００４４】
また、レンズ保持体６２は、例えば図６で示すように、その前方内面が、第１の光学レンズ５１の凸形状すなわち円錐形、角錐形等に沿う傾斜面６２ａとして保持の安定化を図ることができる。
【００４５】
上述したように、本発明による光学レンズは、開口数が大なる集光レンズを構成し得るソリッドイマージョンレンズ、ニアフィールド構成とすることができるものであるが、特に、その対物面が凸形状として、その傾きマージンを大とすることができるようにした構成において、これによる対物の例えば光ディスクの破損、ソリッドイマージョンレンズの破損、傷の発生を確実に回避でき、光記録媒体の長寿命化、ニアフィールド集光レンズ装置、光学ピックアップ装置、および光記録再生装置の長寿命化を図ることができるものである。
【００４６】
尚、本発明は、上述した例に限られるものではなく、本発明構成において、光学レンズ装置、ニアフィールド集光レンズ装置、光学ピックアップ装置、および光記録再生装置について、種々の変形変更を行うことができる。
【図面の簡単な説明】
【００４７】
【図１】本発明による光記録再生装置の一例の概略構成図である。
【図２】本発明による集光光学レンズ装置を具備するニアフィールド集光レンズ装置の一例の概略断面図である。
【図３】ＡおよびＢは、本発明による光学レンズ装置の第１の光学レンズの一例の側面図および平面図である。
【図４】ＡおよびＢは、本発明による光学レンズ装置の第１の光学レンズの一例の側面図および平面図である。
【図５】ＡおよびＢは、本発明による光学レンズ装置の第１の光学レンズの一例の側面図および平面図である。
【図６】ＡおよびＢは、本発明による光学レンズ装置の動作の説明図である。
【図７】従来の集光光学レンズの概略断面図である。
【図８】従来の光学レンズ装置によって光記録媒体に生じさせる衝突傷の模式図である。
【図９】従来の光学レンズ装置によって光記録媒体に生じさせる擦傷の模式図である。
【符号の説明】
【００４８】
１，１００……光記録媒体、１０……光源部、１１……コリメートレンズ、１２……無偏光ビームスプリッタ、１３……偏光ビームスプリッタ、１４……１／４波長板、１５……ビームエキスパンダー、１６……ミラー、１７……２軸アクチュエータ、１８……集光レンズ、１９，２１……受光手段、３０……光記録媒体の配置部、４０……光学ピックアップ装置、５０，１０３……ニアフィールド集光レンズ装置、５１，１０１……第１の光学レンズ（ＳＩＬ）、５１ａ……光入射面、５１ｂ……対物面、５１ｂｏ……平坦面、５２，１０２……第２の光学レンズ、６０……圧力吸収体、６１……光学レンズ装置、６２……レンズ保持体、６２ｂ……対物側の面、１０４……照射光、１０５……衝突傷、１０６……擦傷
【図１】
2006228289.tif 000003
【図２】
2006228289.tif 000004
【図３】
2006228289.tif 000005
【図４】
2006228289.tif 000006
【図５】
2006228289.tif 000007
【図６】
2006228289.tif 000008
【図７】
2006228289.tif 000009
【図８】
2006228289.tif 000010
【図９】
2006228289.tif 000011